(57)【要約】      （修正有）【課題】透明ディスプレイが設けられているガラスドアの開閉に応じて、照明の明るさを適切に切り替えることが可能なショーケースを提供する。【解決手段】商品が陳列される陳列室３０の開口部に開閉可能に設けられ、対向する複数のガラス板の間に透明ディスプレイ７０を備えるガラスドア１０と、前記陳列室３０内を照らし、明るさの切り替えが可能な照明手段と、前記ガラスドア１０が開けられている時は、前記ガラスドア１０が閉じられている時よりも前記陳列室３０内が暗くなる様に、前記ガラスドア１０の開閉に応じて前記照明手段の明るさを切り替える切り替え手段とを有するショーケース。【選択図】図１
2015070877.tif 000002
【特許請求の範囲】
【請求項１】
商品が陳列される陳列室の開口部に開閉可能に設けられ、対向する複数のガラス板の間に透明ディスプレイを備えるガラスドアと、
前記陳列室内を照らし、明るさの切り替えが可能な照明手段と、
前記ガラスドアが開けられている時は、前記ガラスドアが閉じられている時よりも前記陳列室内が暗くなる様に、前記ガラスドアの開閉に応じて前記照明手段の明るさを切り替える切り替え手段と
を有することを特徴とするショーケース。
【請求項２】
前記照明手段は、前記陳列室内に存在する照明手段である
ことを特徴とする請求項１に記載のショーケース。
【請求項３】
前記照明手段は、前記ガラスドアに存在する照明手段である
ことを特徴とする請求項１又は２に記載のショーケース。
【請求項４】
前記ガラスドアに存在する照明手段は、前記ガラスドアの前記複数のガラス板の間に設けられている
ことを特徴とする請求項３に記載のショーケース。
【請求項５】
前記陳列室内の照度は、前記ガラスドアが開けられた状態で３００〜６００ルクス、前記ガラスドアが閉じられた状態で３０００〜６０００ルクスである
ことを特徴とする請求項１から４の何れか一項に記載のショーケース。
【請求項６】
前記照明手段は、前記ガラスドアが閉じられた状態で、前記透明ディスプレイの背後を照らす
ことを特徴とする請求項１から５の何れか一項に記載のショーケース。
【請求項７】
前記透明ディスプレイは、前記複数のガラス板のうち前記陳列室内から最も外側のガラス板に表示面が接合されている
ことを特徴とする請求項１から６の何れか一項に記載のショーケース。
【請求項８】
前記透明ディスプレイは、前記ガラスドアに複数設けられている
ことを特徴とする請求項１から７の何れか一項に記載のショーケース。
【発明の詳細な説明】
【技術分野】
【０００１】
本発明は、ショーケースに関する。
【背景技術】
【０００２】
内部の棚に陳列されている商品を閲覧することができる透明なガラスドアが前面に設けられ、消費者がガラスドア越しに商品を選択して取り出すことができるショーケースが店舗等で用いられている。
【０００３】
ショーケースの中には、ディスプレイに表示される画像と、内部に陳列されている商品とが消費者から重なって見える様に、前面のガラスドアに画像等を表示する透明ディスプレイを有するものがある（例えば、特許文献１参照）。この様なショーケースは、例えば商品の宣伝広告を行う静止画や動画等を透明ディスプレイに表示することで、消費者の購買意欲を増大させることができる。
【先行技術文献】
【特許文献】
【０００４】
【特許文献１】特開２００３−１２５９０４号公報
【発明の概要】
【発明が解決しようとする課題】
【０００５】
しかしながら、一般的に透明ディスプレイは透過率が低いため、ガラスドアに透明ディスプレイが設けられると、外部からは内部が暗く見え、内部に陳列されている商品の視認性が低下する可能性がある。
【０００６】
そこで、ガラスドアに透明ディスプレイが設けられている場合には、内部に陳列されている商品の外部からの視認性が向上する様に、ショーケース内部の陳列室を従来よりも明るくすることが考えられる。しかし、この様な構成では、ガラスドアが閉じられている状態では商品の視認性が向上するが、ガラスドアが開けられた時に、陳列室を照らす照明が明るく眩しいため、消費者にストレスを与える虞がある。
【０００７】
本発明は上記に鑑みてなされたものであって、透明ディスプレイが設けられているガラスドアの開閉に応じて、照明の明るさを適切に切り替えることが可能なショーケースを提供することを目的とする。
【課題を解決するための手段】
【０００８】
本発明の一態様のショーケースによれば、商品が陳列される陳列室の開口部に開閉可能に設けられ、対向する複数のガラス板の間に透明ディスプレイを備えるガラスドアと、前記陳列室内を照らし、明るさの切り替えが可能な照明手段と、前記ガラスドアが開けられている時は、前記ガラスドアが閉じられている時よりも前記陳列室内が暗くなる様に、前記ガラスドアの開閉に応じて前記照明手段の明るさを切り替える切り替え手段とを有する。
【発明の効果】
【０００９】
本発明の実施形態によれば、透明ディスプレイが設けられているガラスドアの開閉に応じて、照明の明るさを適切に切り替えることが可能なショーケースを提供できる。
【図面の簡単な説明】
【００１０】
【図１】実施形態に係るショーケースを例示する図である。
【図２】実施形態に係るショーケースのガラスドアを例示する正面図である。
【図３】実施形態に係るショーケースのガラスドアを例示する断面概略図（１）である。
【図４】実施形態に係るショーケースのガラスドア断面を拡大して例示する図である。
【図５】実施形態に係るショーケースを例示する上面図である。
【図６】実施形態に係るショーケースのガラスドアを例示する背面図である。
【図７】実施形態に係るショーケースのガラスドアを例示する断面概略図（２）である。
【発明を実施するための形態】
【００１１】
以下、図面を参照して発明を実施するための形態について説明する。各図面において、同一構成部分には同一符号を付し、重複した説明を省略する場合がある。
【００１２】
＜ショーケース＞
まず、実施形態に係るショーケース１００の構成について、図１に基づいて説明する。なお、以下に示す図面においてＸ方向はショーケース１００の幅方向、Ｙ方向は奥行き方向、Ｚ方向は高さ方向を示している。
【００１３】
ショーケース１００は、ガラスドア１０、例えば飲料等の商品５０が陳列される陳列室３０、透明ディスプレイ７０を有する。本実施形態に係るショーケース１００は、冷蔵機能又は冷凍機能を有し、陳列室３０内に陳列される商品５０を保冷する。
【００１４】
ガラスドア１０は、外部から陳列されている商品５０が見渡せる様に、ほぼ全面に透明なガラスが用いられている。ガラスドア１０は、例えば引き戸式、観音開き式等で陳列室３０の開口部に開閉自在に設けられ、消費者はガラスドア１０越しに商品５０を選択し、ガラスドア１０を開けて商品を取り出すことができる。なお、ショーケース１００に設けられるガラスドア１０の数は、１つ又は２つ以上の複数であってもよい。
【００１５】
陳列室３０は、複数の棚３１を有し、棚３１の上に商品５０が陳列される。
【００１６】
透明ディスプレイ７０は、ガラスドア１０の一部又は全面に１つ以上設けられ、静止画、動画等の画像を表示する。透明ディスプレイ７０は透過型の表示装置であり、消費者は透明ディスプレイ７０に画像が表示されている場合にも陳列されている商品５０を見ることができ、透明ディスプレイ７０に表示される画像越しにも陳列されている商品５０を見ることができる。
【００１７】
＜ガラスドア＞
次に、実施形態に係るガラスドア１０の構成について説明する。
【００１８】
図２は、実施形態に係るガラスドア１０を例示する正面図である。また、図３は、図２のＡ−Ａ'断面を例示する概略図である。
【００１９】
ガラスドア１０は、ショーケース１００の外側のガラス板１１及び陳列室３０側のガラス板１２を含む複層ガラス、複層ガラスの周縁を覆うサッシ１５、透明ディスプレイ７０を有する。
【００２０】
（複層ガラス）
複層ガラスは、例えば図３に示す様に、周縁に設けられるスペーサ１７を挟んで重ねられる２枚のガラス板１１，１２で構成されている。図３に示す様に、スペーサ１７を挟んで対向する外側のガラス板１１と、陳列室側のガラス板１２との間には、中空層２５が形成されている。中空層２５は、周囲がスペーサ１７により囲まれて密閉され、外部環境とは遮断されている。中空層２５には、例えば空気又は不活性ガス等が充填されている。ガラス板の厚さは、例えば２〜６ｍｍ程度である。また、中空層の幅は、例えば６〜２５ｍｍである。
【００２１】
ガラス板１１，１２は、例えばソーダライムガラス、アルミノシリケートガラス、アルミノボロシリケートガラス、無アルカリガラス等の無機ガラス、もしくはポリカーボネート樹脂、アクリル樹脂からなる有機ガラス等であるが、これらに限られない。また、各ガラス板は、別々の材料からなるものであってもよく、ガラス板が接着層で貼り合わされた、いわゆる合わせガラスであってもよい。
【００２２】
また、ガラス板１１，１２は、無機ガラスの場合、例えば化学強化処理又は物理強化処理等の表面強化処理が施されていてもよい。この様な表面強化処理が施されている場合には、ガラス板１１，１２の強度が向上するため、ガラス板１１，１２をより薄くできる。
【００２３】
なお、本実施形態におけるガラスドア１０に用いられる複層ガラスは、２枚のガラス板１１，１２で構成されているが、３枚以上のガラス板で構成されてもよい。ガラス板の数を増やして中空層の数も増やすことで、より高い断熱効果を得ることができる。
【００２４】
（サッシ）
サッシ１５は、例えば金属材料、樹脂材料等により形成され、図２及び図３に示す様に、重ねられたガラス板１１，１２の周縁部分を挟み込んで固定する。サッシ１５は、例えばガラスドア１０がＸ方向に引き戸式に開閉されるためのレールや、Ｙ方向に開閉するためのヒンジ部品、ガラスドア１０を開閉するための把手等を有してもよい。
【００２５】
（透明ディスプレイ）
透明ディスプレイ７０は、透過型の表示装置であり、図３に示す様に、ガラスドア１０が有する複層ガラスの中空層２５に設けられる。透明ディスプレイ７０が中空層に設けられることで、ガラスドア１０の開閉時等に、透明ディスプレイ７０が人や商品等に接触することがなく、透明ディスプレイ７０の破損、故障等の発生が低減される。また、ガラスドア１０の開閉時等に透明ディスプレイ７０の表面が結露して曇ることがなく、透明ディスプレイ７０の表示画像及びショーケース内部の商品の視認性が保たれる。
【００２６】
また、透明ディスプレイ７０は、ガラスドア１０において陳列室３０から見て外側のガラス板１１の中空層２５側の面に、表示面が接合されている。消費者側から透明ディスプレイ７０の表示面までのガラス板の数を少なくすることで、消費者が透明ディスプレイ７０に表示される画像をより鮮明に見ることが可能になる。
【００２７】
透明ディスプレイ７０は、例えば内部に陳列されている商品５０等の宣伝広告を行う静止画、動画等の画像を表示するが、商品５０とは関係の無い画像等を表示してもよい。透明ディスプレイ７０が表示する画像は、例えば不図示の記憶装置に記憶されている画像、あるいはネットワークを介して接続するコンピュータやサーバ等から送信される画像等である。
【００２８】
透明ディスプレイ７０は透過型のディスプレイであり、透明ディスプレイ７０に画像が表示されている間も、消費者は透明ディスプレイ７０に表示されている画像越しに、陳列室３０の棚３１に陳列されている商品５０を見ることができる。すなわち、透明ディスプレイ７０に画像が表示されている間は、消費者は透明ディスプレイ７０に表示されている画像と、透明ディスプレイ７０の背後の商品５０とを重ねて見ることになる。
【００２９】
透明ディスプレイ７０は、例えば液晶ディスプレイ装置、有機ＥＬディスプレイ等の透過型のディスプレイである。透明ディスプレイ７０は、透過型のディスプレイであれば上記例に限るものではない。
【００３０】
また、透明ディスプレイ７０は、ガラスドア１０の略全面に設けられてもよく、あるいは見栄えや消費者の目線、又は使用電力の観点からガラスドア１０の一部に設けられてもよい。さらに、透明ディスプレイ７０は、ガラスドア１０に複数設けられてもよい。
【００３１】
（ガラス板と透明ディスプレイとの接合）
透明ディスプレイ７０は、例えば透明接着剤又は透明粘着剤（以下、総称して透明接着剤という）、透明接着テープ又は透明粘着テープ等により、ガラス板１１に貼り付けられている。透明接着剤としては、例えば透明樹脂や、液状の硬化性樹脂組成物等が用いられる。
【００３２】
例えば硬化性樹脂組成物を用いる場合には、まずガラス板１１の中空層２５側の面に未硬化の樹脂組成物を塗布する。次に、塗布した樹脂組成物の上に、透明ディスプレイ７０を配置した後に樹脂組成物を硬化させることで、ガラス板１１と透明ディスプレイ７０とを接合できる。
【００３３】
透明接着剤は、２５℃におけるせん断弾性率が、例えば１０３Ｐａ〜１０７Ｐａであることが好ましく、１０４Ｐａ〜１０６Ｐａであることがより好ましい。特に、透明接着剤の２５℃におけるせん断弾性率が１０４Ｐａ〜１０５Ｐａである場合には、ガラス板１１及び透明ディスプレイ７０との接合の際に生じ得る空隙を比較的容易に消失させることができる。
【００３４】
透明接着剤の２５℃におけるせん断弾性率が１０３Ｐａ以上の場合には、塗布された透明接着剤の形状が維持される。したがって、塗布された透明接着剤の厚さが均一に維持され、ガラス板１１と透明ディスプレイ７０との接合時に、透明ディスプレイ７０と透明接着剤との界面に空隙が発生し難くなる。
【００３５】
また、透明接着剤は、２５℃におけるせん断弾性率が１０４Ｐａ以上で変形が抑制され、２５℃におけるせん断弾性率が１０７Ｐａ以下でガラス板１１と透明ディスプレイ７０との接合密着性が向上する。
【００３６】
透明接着剤層の厚さは、例えば０．０３ｍｍ〜２ｍｍが好ましく、０．１ｍｍ〜０．８ｍｍがより好ましい。透明接着剤の厚さが０．０３ｍｍ以上であれば、ガラス板１１の外側から外力等が加わった際に、透明接着剤が外力による衝撃を十分に低減し、透明ディスプレイ７０を保護できる。また、ガラス板１１と透明ディスプレイ７０との間に、透明接着剤の厚さ未満の寸法の異物が混入しても、透明接着剤の厚さが変化しないため、異物混入による光透過性能への影響が抑制される。また、透明ディスプレイ７０の表示画面の視認性が低下するため、透明接着剤層の厚さは２ｍｍ以下であることが好ましい。
【００３７】
なお、透明接着剤は、単一の層としてではなく、平面視中央部分の層状部と、層状部の周囲を取り囲む堰状部とで構成されてもよい。堰状部は、例えばガラス板１１上で、液状の硬化性樹脂組成物から透明接着剤を形成する際に、硬化性樹脂組成物が所定の範囲を超えて、外方に広がることを抑制する（すなわち、層状部用の液状の硬化性樹脂組成物の流出を堰き止める）。堰状部は、中央部分の層状部を構成する硬化性樹脂組成物とは異なる硬化性樹脂組成物で形成されてもよい。
【００３８】
（機能膜）
図３に示す様に、陳列室側のガラス板１２の中空層２５側の面には、機能膜として断熱効果を高める低放射膜２４が設けられている。低放射膜２４は、外側のガラス板１１に設けられてもよいが、より高い断熱効果を得るために、ショーケース１００の陳列室３０側のガラス板１２に設けられることが好ましい。
【００３９】
低放射膜２４は、例えば銀を主成分とする膜が亜鉛を主成分とする酸化物薄膜で挟まれた積層膜（亜鉛酸化物／銀／亜鉛酸化物）等、薄膜が積層された積層膜が用いられる。また、低放射膜２４の放射率を下げるため、例えば銀を主成分とする膜を２層有する膜（亜鉛酸化物／銀／亜鉛酸化物／銀／亜鉛酸化物）にしてもよい。この様な銀を主成分とする膜が含まれる積層膜は透過率が高く、放射率が低いので、ショーケース１００内部の視認性及び断熱性能に優れたガラスドア１０が得られる。
【００４０】
また、ショーケース１００の外側のガラス板１１は、外側表面に反射防止膜を有してもよい。反射防止膜は、例えばシリケートや金属酸化物の薄膜を所定膜厚でスパッタリング法や蒸着法にてガラス板１１の外側表面に直接形成される。あるいは、反射防止膜は、フッ素樹脂などの低屈折率の樹脂薄膜を、粘着層などを介してガラス板１１の外側表面に張り合わせることで形成される。特に最外層にフッ素樹脂を有する反射防止膜は、ガラス板に防汚性能や易清浄性を付与できるため好ましい。この様な反射防止膜によって反射が抑制され、消費者は外部から透明ディスプレイ７０に表示される画像をより鮮明に見ることが可能になる。反射防止膜は、少なくとも透明ディスプレイ７０を覆う範囲にあればよい。
【００４１】
（スペーサ）
図４は、図２に例示するガラスドア１０のＡ−Ａ'断面の一端側の拡大図である。
【００４２】
図４に示す様に、スペーサ１７は、例えばアルミニウムを主材料とする金属材料で内部に中空を有し、シリカゲル等の乾燥剤１８を内部に収納する。また、スペーサ１７の中空層２５側の面には貫通孔１９が設けられ、貫通孔１９を介して中空層２５に存在する水分が乾燥剤１８に吸収される。
【００４３】
ガラス板１１とガラス板１２との間の中空層２５は、周囲がスペーサ１７により囲まれ、さらに一次シール材２０、二次シール材２１によって密閉されている。
【００４４】
一次シール材２０としては、例えば架橋処理されていないブチルゴム、もしくは、ポリイソブチレンをベースとし、着色と補強を目的としたカーボンブラック等のフィラーが含有されたもの等が用いられる。二次シール材２１としては、例えばポリサルファイド、シリコーン、ウレタン等の硬化性エラストマをベースとし、ガラスとの接着性を発現するために適当な変性を加えられたもの等が使用される。
【００４５】
なお、スペーサ１７は、図４に示す態様の他に、乾燥剤が練り込まれた樹脂製スペーサであってもよい。樹脂製スペーサは、密閉性及びガラスとの密着性が良好であり好ましい。また、スペーサとしては、複層ガラスの全周のうち一部が樹脂製スペーサで、その他の部分に１次、２次シールが用いられた図４の様なスペーサであってもよい。
【００４６】
（照明及びリミットスイッチ）
図５は、実施形態に係るショーケース１００を例示する上面図である。
【００４７】
ショーケース１００のガラスドア１０は、図５に示す矢印方向に開閉可能に設けられており、消費者はガラスドア１０を開けて陳列室３０の棚３１に陳列されている商品５０を取り出すことができる。
【００４８】
ショーケース１００は、陳列室３０内を照らす室内照明手段としての室内照明４０を有する。室内照明４０は、例えば陳列室３０の開口部側に複数設けられ、陳列室３０の棚３１に陳列されている商品５０を照らす。
【００４９】
室内照明４０は、例えば光源としてＺ方向に配列された複数のＬＥＤ素子を有するＬＥＤ照明であり、例えばＬＥＤ素子自体の明るさ又は発光させるＬＥＤ素子の数が調整されることで、陳列室３０を照らす明るさが切り替えられる。なお、室内照明４０としては、明るさの切り替えが可能であればＬＥＤ照明に限らず、蛍光灯等の他の照明器具であってもよい。また、室内照明４０は、陳列室３０の天井や棚３１等に設けられてもよい。
【００５０】
ガラスドア１０には、切り替え手段としてのリミットスイッチ６０が設けられている。リミットスイッチ６０は、ガラスドア１０の開閉に応じて室内照明４０の明るさを切り替える。具体的には、ガラスドア１０が開けられている時は、ガラスドア１０が閉められている時よりも陳列室３０内が暗くなる様に、室内照明４０の明るさを切り替える。
【００５１】
なお、切り替え手段としては、ガラスドア１０の開閉を検出して室内照明４０の明るさを切り替え可能であれば、リミットスイッチ６０に限らず、光センサ等であってもよい。また、リミットスイッチ６０は、ガラスドア１０の開閉に応じて動作可能であればよく、ショーケース１００の陳列室３０側に設けられてもよい。
【００５２】
ガラスドア１０には、ガラス板１１，１２よりも透過率が低い透明ディスプレイ７０が設けられているため、ガラスドア１０が閉じられた状態では、外部から透明ディスプレイ７０の背後に陳列されている商品５０の視認性が低下する。
【００５３】
そこで、室内照明４０は、ガラスドア１０が閉じられている状態において、外部からの商品５０の視認性に問題無い程度の明るさで陳列室３０を照らす様に設定されている。この様な設定により、ガラスドア１０に透明ディスプレイ７０が設けられていても、ガラスドア１０が閉じられている状態における商品５０の視認性が確保される。また、透明ディスプレイ７０が液晶ディスプレイの場合には、室内照明４０がバックライトの役割も果たすため、画像を鮮明に表示するためには室内照明を一定の明るさ以上に調整する必要がある。
【００５４】
ただし、上記設定では、ガラスドア１０が開けられた時に、室内照明４０が明る過ぎるため、ガラスドア１０を開けた消費者の目に負担又は不快感等のストレスを与える可能性がある。そこで、リミットスイッチ６０が、ガラスドア１０が開けられた時に、ガラスドア１０が閉じられている時よりも陳列室３０内が暗くなる様に室内照明４０の明るさを切り替える。リミットスイッチ６０が室内照明４０の明るさを切り替えることで、消費者はガラスドア１０を開けて、適度な明るさの下で商品５０を取り出すことが可能になる。
【００５５】
なお、ガラスドア１０の一部に透明ディスプレイ７０が設けられている場合には、透明ディスプレイ７０の背後のみ明るさが切り替えられればよい。例えば、リミットスイッチ６０が、ガラスドア１０の開閉に応じて、透明ディスプレイ７０の背後に設けられている複数の照明手段のうち透明ディスプレイ７０の背後の照明手段のオンオフを切り替えてもよい。
【００５６】
また、図６及び図７に示す様に、ガラスドア１０に存在する照明手段として、ガラスドア１０にドア照明４１が設けられてもよい。図６は、ドア照明４１が設けられたガラスドア１０の背面図であり、図７は、図６のＢ−Ｂ'断面概略図である。
【００５７】
ドア照明４１は、例えば光源として基板４２上にＺ方向に配列された複数のＬＥＤ素子４３を有するＬＥＤ照明である。ドア照明４１は、ＬＥＤ素子４３からの光が陳列室３０に向けられる様にガラスドア１０のＸ方向両側部に設けられ、陳列室３０に陳列されている商品５０の方向を照らす。また、ドア照明４１は、例えばＬＥＤ素子４３自体の明るさ又は発光させるＬＥＤ素子４３の数が調整されることによって、明るさが切り替えられる。なお、ドア照明４１としては、ＬＥＤ照明に限らず、蛍光灯等の他の照明器具であってもよい。
【００５８】
ドア照明４１は、ガラスドア１０が閉じられている時には、室内照明４０と共に陳列室３０内の商品５０を照らすことで、透明ディスプレイ７０の背後の商品５０の視認性を向上させる。また、ドア照明４１は、ガラスドア１０が開けられている時には、ガラスドア１０が閉じられている時よりも暗くなる様に、ガラスドア１０の開閉に応じてリミットスイッチ６０により明るさが切り替えられる。もしくは、ガラスドア１０が開けられた時に、リミットスイッチ６０により消灯されてもよい。
【００５９】
室内照明４０及びドア照明４１が設けられている場合には、リミットスイッチ６０は、ガラスドア１０の開閉に応じて、室内照明４０及びドア照明４１の両方の明るさを切り替えてもよく、ドア照明４１の明るさのみを切り替えてもよい。
【００６０】
なお、ガラスドア１０の一部に透明ディスプレイ７０が設けられている場合には、ドア照明４１は、透明ディスプレイ７０の背後を照らせればよく、ガラスドア１０のＺ方向において全域に設けられなくてもよい。
【００６１】
この様な構成により、ドア照明４１は、ガラスドア１０が閉じられている時には、透明ディスプレイ７０の背後に陳列されている商品５０を照らし、商品５０の外部からの視認性を確保する。また、ドア照明４１は、ガラスドア１０が開けられている時には、リミットスイッチ６０により減光又は消灯されるため、ガラスドア１０を開けた消費者にストレスを与えることがない。
【００６２】
なお、上記構成において、陳列室３０の透明ディスプレイ７０の背後における照度は、ガラスドア１０が開けられている状態で３００〜６００ルクスであることが好ましく、３５０〜５５０ルクスであればより好ましい。また、ガラスドア１０が閉じられている状態で３０００〜６０００ルクスであることが好ましく、３５００〜５５００ルクスであればより好ましく、４０００〜５０００ルクスであればさらに好ましい。この様な構成により、透明ディスプレイ７０の背後に陳列されている商品５０の外部からの視認性が確保され、ガラスドア１０が開けられた時の陳列室３０の明るさが適切に保たれる。
【００６３】
以上で説明した様に、本実施形態に係るショーケース１００は、ガラスドア１０に透明ディスプレイ７０が設けられており、ガラスドア１０の開閉に応じてリミットスイッチ６０が、室内照明４０やドア照明４１の照明手段の明るさを切り替える。したがって、ガラスドア１０が閉じられている時には、陳列室３０が明るく照らされて外部からの商品５０の視認性が確保され、ガラスドア１０が開けられている時には照明が減光され、消費者にストレスを与えることがないショーケース１００が提供される。
【００６４】
以上、実施形態に係るショーケースについて説明したが、本発明は上記実施形態に限定されるものではなく、本発明の範囲内で種々の変形及び改良が可能である。
【符号の説明】
【００６５】
１０  ガラスドア
１１，１２  ガラス板
１５  サッシ
１７  スペーサ
３０  陳列室
４０  室内照明（室内照明手段）
４１  ドア照明（ドア側照明手段）
６０  リミットスイッチ（切替手段）
７０  透明ディスプレイ
１００  ショーケース
【図１】
2015070877.tif 000003
【図２】
2015070877.tif 000004
【図３】
2015070877.tif 000005
【図４】
2015070877.tif 000006
【図５】
2015070877.tif 000007
【図６】
2015070877.tif 000008
【図７】
2015070877.tif 000009